(57)【特許請求の範囲】
【請求項１】
開口部を有する本体と、前記開口部を覆うように配設され、所定幅のスリットが形成され、かつ透明部材からなる透明カバーと、前記本体と前記透明カバーとの間に形成された内部空間に設けられ、殺虫すべき昆虫の誘虫に適した所定波長の光を放射する誘虫灯と、前記内部空間に配設され前記誘虫灯の熱により蒸散する殺虫薬剤と、を具備し、
前記透明カバーの前面に前記スリットが水平方向に延在するように形成されていることを特徴とする殺虫装置。
【請求項２】
前記内部空間に設けられ、前記スリットから前記内部空間に侵入した前記昆虫を計数する計数器を具備することを特徴とする請求項１に記載の殺虫装置。
【請求項３】
前記スリット幅は、１０ｍｍ以下であることを特徴とする請求項１または２に記載の殺虫装置。
【請求項４】
前記本体（２）は、底部（２ａ）と、該底部（２ａ）の両端部より上方に延びる右側部（２ｂ）および左側部（２ｃ）と、前記底部（２ａ）の一端縁より上方へ延びる奥側部（２ｄ）と、該奥側部（２ｄ）の一端縁より直角方向に延びる天井部（２ｅ）とが一体に形成されてなることを特徴とする請求項１〜３のいずれかに記載の殺虫装置。
【請求項５】
前記誘虫灯（６、７）は、その長手方向が前記スリットに対して平行をなすように取り付けられていることを特徴とする請求項４記載の殺虫装置。
【請求項６】
前記本体は、長方形状の本体基板（２１）と、該本体基板（２１）の上縁に直角方向に取り付けられた一部切欠円板形状の天井板（２２１）と、前記本体基板（２１）の下縁に直角方向であって、かつ前記天井板（２２１）と対をなすように取り付けられた底板（２２２）とから構成され、
前記透明カバー（２３）は、前記天井板（２２１）の周縁（２２1ａ）および前記底板（２２２）の周縁（２２２ａ）に沿うように設けられており、前記スリットは前記透明カバー（２３）の長手方向と直角方向に形成されていることを特徴とする請求項１〜３のいずれかに記載の殺虫装置。
【請求項７】
前記誘虫灯（２４）は、その長手方向が前記スリット（２３ａ）と直角をなすように設けられていることを特徴とする請求項６記載の殺虫装置。
【発明の詳細な説明】
【０００１】
【発明の属する技術分野】
本発明は、ハエ、甲虫、ガ、羽虫等の殺虫に用いられる殺虫装置に関する。
【０００２】
【従来の技術】
従来の殺虫装置の方式としては、吸引式、粘着式または電撃式がある。ここで、上記吸引式の殺虫装置は、波長が約３７０ｎｍの紫外線を放射する誘虫灯と、該誘虫灯により誘虫された昆虫（ハエ、甲虫等）に対して低電圧を印加する低電圧印加部と、この低電圧により気絶した昆虫をエアー等により吸引する吸引部とから概略構成されている。
【０００３】
上記構成において、電源がオンにされると、誘虫灯からは、約３７０ｎｍの波長を有する紫外線が放射される。この紫外線は、昆虫を誘引する作用を有している。これにより、吸引式の殺虫装置の周囲に飛翔している昆虫は、上記紫外線により誘引され、低電圧印加部に接触することにより、気絶する。そして、気絶した昆虫は、吸引部により吸引された後、捕虫ボックスに集められて殺虫剤等により捕殺される。
【０００４】
また、粘着式の殺虫装置は、上述した誘虫灯と、該誘虫灯の近傍に配設され、シートに粘着材が塗布されてなる捕虫紙とから概略構成されている。
上記構成において、誘虫灯により誘虫された昆虫は、捕虫紙に粘着されることにより、所定時間経過後に捕殺される。
【０００５】
さらに、電撃式の殺虫装置は、上述した誘虫灯と、該誘虫灯により誘虫された昆虫に対して高電圧を印加する高電圧印加部とから概略構成されている。
上記構成において、誘虫灯により誘虫された昆虫が高電印加部に接触すると、該昆虫は、即死するとともに、ばらばらに分解される。
【０００６】
【発明が解決しようとする課題】
しかしながら、従来の吸引式の殺虫装置においては、低電圧印加部に常時電圧を供給しなければならないため、消費電力が大きいという問題があった。
また、従来の粘着式の殺虫装置においては、捕虫率を一定に保持すべく、定期的に捕虫紙の交換をしなければならず、メンテナンスが面倒であるという問題があった。
さらに、電撃式の殺虫装置においては、高電圧を発生するための昇圧トランス等が必要となるため、コストが高いとともに、消費電力が大きいという問題があった。
また、電撃式の殺虫装置においては、捕虫時に昆虫の死骸の一部が周囲に飛び散ってしまうため、衛生的ではないという欠点があった。
さらに、電撃式の殺虫装置においては、高電圧印加部の下方に配設されている受け皿に溜まった昆虫の死骸から食虫性の害虫が二次的に発生する場合がある。
本発明はこのような背景の下になされたもので、消費電力およびコストを低減することができ、しかも衛生的に殺虫することができる殺虫装置を提供することを目的とする。
【０００７】
【課題を解決するための手段】
請求項１に記載の発明は、開口部を有する本体と、前記開口部を覆うように配設され、所定幅のスリットが形成され、かつ透明部材からなる透明カバーと、前記本体と前記透明カバーとの間に形成された内部空間に設けられ、殺虫すべき昆虫の誘虫に適した所定波長の光を放射する誘虫灯と、前記内部空間に配設され前記誘虫灯の熱により蒸散する殺虫薬剤と、を具備し、前記透明カバーの前面に前記スリットが水平方向に延在するように形成されていることを特徴とする殺虫装置を提供する。
また、請求項２に記載の発明は、請求項１に記載の殺虫装置において、内部空間に設けられ、前記スリットから前記内部空間に侵入した前記昆虫を計数する計数器を具備することを特徴とする。
また、請求項３に記載の発明は、請求項１または２に記載の殺虫装置において、前記スリット幅は、１０ｍｍ以下であることを特徴とする。
また、請求項４に記載の発明は、請求項１〜３のいずれかに記載の殺虫装置において、前記本体は、底部と、該底部の両端部より上方に延びる右側部および左側部と、前記底部の一端縁より上方へ延びる奥側部と、該奥側部の一端縁より直角方向に延びる天井部とが一体に形成されてなることを特徴とする。
また、請求項５に記載の発明は、請求項４記載の殺虫装置において、前記誘虫灯は、その長手方向が前記スリットに対して平行をなすように取り付けられていることを特徴とする。
また、請求項６に記載の発明は、請求項１〜３のいずれかに記載の殺虫装置において、前記本体は、長方形状の本体基板と、該本体基板の上縁に直角方向に取り付けられた一部切欠円板形状の天井板と、前記本体基板の下縁に直角方向であって、かつ前記天井板と対をなすように取り付けられた底板とから構成され、前記透明カバーは、前記天井板の周縁および前記底板の周縁に沿うように設けられており、前記スリットは前記透明カバーの長手方向と直角方向に形成されていることを特徴とする。
また、請求項７に記載の発明は、請求項６記載の殺虫装置において、前記誘虫灯は、その長手方向が前記スリットと直角をなすように設けられていることを特徴とする。
【０００８】
【発明の実施の形態】
＜第１実施形態＞
以下、図面を参照して本発明の実施形態について説明する。図１は本発明の第１実施形態による殺虫装置１０の構成を示す斜視図である。図２は図１に示すＸ−Ｘ線視断面図である。
図１に示す殺虫装置１において、２は、本体であり、底部２ａと、該底部２ａの両端部より上方に延びる右側部２ｂおよび左側部２ｃと、図２に示す底部２ａの一端縁より上方へ延びる奥側部２ｄと、奥側部２ｄの一端縁より直角方向に延びる天井部２ｅとが一体に形成されてなる。上記右側部２ｂおよび左側部２ｃには、電気回路等が内蔵されている。
【０００９】
３は、底部２ａに同図に示す矢印Ａ方向に移動可能に配設されたトレーであり、捕殺された昆虫の受け皿としての役目をしている。４は、トレー３（または、本体２内部）に載置された殺虫薬剤であり、昆虫に対する神経興奮成分、殺虫成分からなる。上記神経興奮成分および殺虫成分は、熱により蒸散する。
【００１０】
５は、左側部２ｃの全面パネルに取り付けられたスイッチであり、電源のオフ／オンに用いられる。６および７は、右側部２ｂと左側部２ｃとの間に長手方向であって、かつ平行をなすように各々取り付けられた誘虫灯であり、誘虫性が非常に高い約３７０ｎｍの波長の紫外線Ｐ（図２参照）を放射する。
【００１１】
８は、図２に示す本体２の開口部２ｆを覆うように配設された透明カバー８であり、プラスチック等の透明部材からなる。この透明カバー８の前面には、誘虫灯６および誘虫灯７に対して平行をなすように、一定間隔をおいて都合３つのスリット８ａ、８ａ、・・・が形成されている。ここで、スリット８ａのスリット幅ｄ1は、３ｍｍとされており、発明者の実験に基づき、ハエ類等の昆虫を最も効果的に捕殺できる値である。
また、本体２内部は、透明カバー８より気密性が高い内部空間９とされている。
【００１２】
上記構成において、図１に示すスイッチ５がオンにされると、誘虫灯６および７が点灯される。これにより、誘虫灯６および誘虫灯７からは、図２に示す紫外線Ｐが放射され、この紫外線Ｐは、透明カバー８を透過して外部空間に放射される。ここで、殺虫装置１の外部から見れば、スリット８ａ、８ａ、・・・部分が他の部分に比較して、紫外線Ｐが強い。
【００１３】
また、誘虫灯６および７の熱により、内部空間９の温度が上昇する。これにより、殺虫薬剤４からは、神経興奮成分および殺虫成分が蒸散され、内部空間９に充満するとともに、神経興奮成分および殺虫成分の一部は、スリット８ａ、８ａ、・・・から外部へ漏れる。
すなわち、この状況においては、神経興奮成分により、スリット８ａ付近の昆虫が、紫外線Ｐに敏感に反応することで、走行性が高まりスリット８ａから内部空間９へ侵入しやすい。
なお、スリット８ａ、８ａ、・・・のスリット幅ｄ1が最適値とされているので、該スリット８ａから漏れ出す神経興奮成分および殺虫成分の量は、内部空間９における神経興奮成分および殺虫成分の充満に影響を与えない程度の量である。
【００１４】
そして、殺虫装置１の周囲に飛翔している昆虫Ｉ（図２参照）は、上記紫外線Ｐにより誘虫され、透明カバー８の外側表面に張り付いた状態で歩行する。このとき、スリット８ａ、８ａ、・・・から漏れだしている神経興奮成分により、昆虫Ｉの走行性が増し、活発に活動する。そして、昆虫Ｉは、最も紫外線Ｐが強いスリット８ａ、８ａ、・・・から、矢印Ｂの経路を通って殺虫成分が充満している内部空間９へ侵入する。
そして、内部空間９に侵入した昆虫Ｉには、徐々に殺虫成分が作用し、所定時間経過すると、昆虫Ｉは、トレー３上に死骸として落下する。
【００１５】
ここで、上述した殺虫装置１の捕殺効果を試すために行った、試験結果を以下に示す。
0004162770.tif 000002
【００１６】
以上説明したように、上述した第１実施形態による殺虫装置１によれば、従来の吸引式および電撃式の殺虫装置のように、低電圧印加部および高電圧印加部を必要としないので、消費電力を低減することができる。
また、上述した第１実施形態による殺虫装置１によれば、従来の粘着式の殺虫装置のように、捕虫紙を必要としないため、メンテナンス性を向上させることができる。
さらに、上述した第１実施形態による殺虫装置１によれば、従来の電撃式の殺虫装置のように捕虫時に昆虫の死骸が周囲に飛び散らないため、衛生的に捕殺することができる。
加えて、上述した第１実施形態による殺虫装置１によれば、殺虫成分が内部空間９に充満しているため、トレー３に溜まった昆虫の死骸から食虫性の害虫が二次的に発生することがない。
【００１７】
また、上述した第１実施形態による殺虫装置１によれば、上述した効果に加えて、図３に示すように従来の殺虫装置に比較して、捕殺数を向上させることができる。図３に示すように、第１日目〜第３日目のいずれも、殺虫装置１の捕殺数は、従来の殺虫装置の捕殺数に比して多いことがわかる。
【００１８】
さらに、図１に示すスリット８ａのスリット幅ｄ1を３ｍｍにした場合と、６ｍｍにした場合の捕殺数の相違を以下に示す。
＜スリット幅ｄ1＞  ＜第１回目捕殺数＞  ＜第２回目捕殺数＞  ＜合計＞
６ｍｍ              ２０５              １８４              ３８９
３ｍｍ              ３１２              １２４              ４３６
このように、スリット幅ｄ1が３ｍｍの場合は、６ｍｍの場合に比較して捕殺数が多いことがわかる。これは、スリット幅ｄ1を３ｍｍとした場合には、内部空間９における殺虫成分の充満率を６ｍｍの場合に比して高くすることができるとともに、内部空間９に侵入した昆虫がスリット８ａから外部へ出にくくなるからである。
【００１９】
＜第２実施形態＞
図４は、本発明の第２実施形態による殺虫装置２０の構成を示す斜視図である。この図に示す殺虫装置２０において、２１は、長方形状の本体基板である。２２1は、本体基板２１の上縁に直角方向に取り付けられた一部切欠円板形状の天井板である。２２2は、本体基板２１の下縁に直角方向であって、かつ天井板２２1と対をなすように取り付けられた底板である。この底板２２2は、天井板２２1と同形状とされている。
【００２０】
２３は、本体基板２１、天井板２２1および底板２２2から構成される本体の開口部を覆うように設けられた透明カバーである。すなわち、透明カバー２３は、天井板２２1の周縁２２1aおよび底板２２2の周縁２２2aに沿うように設けられている。また、透明カバー２３には、長手方向と直角方向にスリット幅ｄ2が３ｍｍのスリット２３ａが形成されている。
【００２１】
２４は、本体基板２１の一面２１ａに長手方向であって、かつスリット２３ａと直角をなすように取り付けられた誘虫灯であり、３７０ｎｍの波長の紫外線Ｐを放射する。２５は、誘虫灯２４の下方に配設されたテーパ状の漏斗であり、捕虫された昆虫を集めて、落とし口２５ａから下方へ落とす役目をしている。２６は、落とし口２５ａから落下した昆虫を計数する計数器である。２７は、底板２２2に載置された殺虫薬剤であり、殺虫成分および神経興奮成分からなる。
【００２２】
上記構成において、図示しないスイッチがオンにされると、図４に示す誘虫灯２４が点灯される。これにより、誘虫灯２４からは、紫外線Ｐが放射され、この紫外線Ｐは、透明カバー２３を透過して外部空間に放射される。ここで、殺虫装置２０の外部から見れば、スリット２３ａ部分が他の部分に比較して、紫外線Ｐが強い。
【００２３】
また、誘虫灯２４の熱により、内部空間の温度が上昇する。これにより、殺虫薬剤２７からは、神経興奮成分および殺虫成分が蒸散され、内部空間に充満するとともに、神経興奮成分および殺虫成分の一部は、スリット２３ａから外部へ漏れる。そして、殺虫装置２０の周囲に飛翔している昆虫は、上記紫外線Ｐにより誘虫され、透明カバー２３の外側表面に張り付いた状態で歩行する。このとき、スリット２３ａ・・・から漏れだしている神経興奮成分により、昆虫の走行性が増し、活発に活動する。そして、昆虫は、最も紫外線Ｐが強いスリット２３ａから、殺虫成分が充満している内部空間へ侵入する。
【００２４】
そして、内部空間に侵入した昆虫には、徐々に殺虫成分が作用し、所定時間経過すると、昆虫は、漏斗２５を介して落とし口２５ａから落下する。このとき、計数器２６により上記昆虫がカウントされる。
【００２５】
以上説明したように、上述した第２実施形態による殺虫装置２０によれば、第１実施形態による殺虫装置１と同様の効果が得られるとともに、計数器２６により簡単に捕虫（捕殺）された昆虫の数をカウントすることができる。
【００２６】
以上本発明の実施形態による殺虫装置について詳述してきたが、具体的な構成はこの実施形態に限られるものではなく、本発明の要旨を逸脱しない範囲の設計変更等があっても本発明に含まれる。
【００２７】
また、上述した実施形態による殺虫装置においては、小バエ類を捕虫対象とする場合に、スリット８ａおよび２３ａのスリット幅ｄ1およびｄ2の最適値を３ｍｍとした例について説明したが、この値に限定されることなく、捕虫対象の種類により適宜可変される。例えば、このスリット幅ｄ1およびｄ2としては、１０ｍｍ以下の数値が挙げられる。
【００２８】
【発明の効果】
以上説明したように、本発明によれば、従来の吸引式および電撃式の殺虫装置のように、低電圧印加部および高電圧印加部を必要としないので、消費電力を低減することができるという効果が得られる。
また、本発明によれば、従来の粘着式の殺虫装置のように、捕虫紙を必要としないため、メンテナンス性を向上させることができるという効果が得られる。
さらに、本発明によれば、従来の電撃式の殺虫装置のように捕虫時に昆虫の死骸が周囲に飛び散らないため、衛生的に捕殺することができるという効果が得られる。
加えて、本発明によれば、殺虫薬剤の殺虫成分が本体の内部空間に充満しているため、捕殺された昆虫の死骸から食虫性の害虫が二次的に発生することがないという効果が得られる。
【図面の簡単な説明】
【図１】  本発明の第１実施形態による殺虫装置１の構成を示す斜視図である。
【図２】  図１に示すＸ−Ｘ線視断面図である。
【図３】  本発明の第１実施形態による殺虫装置１および従来の殺虫装置の捕殺数を示すグラフである。
【図４】  同第２実施形態による殺虫装置２０の構成を示す斜視図である。
【符号の説明】
１  殺虫装置
２  本体
２ｆ  開口部
３  トレー
４  殺虫薬剤
６、７  誘虫灯
８  透明カバー
８ａ  スリット
２０  殺虫装置
２１  本体基板
２２1  天井板
２２2  底板
２２2a  周縁
２３  透明カバー
２３ａ  スリット
２４  誘虫灯
２５  漏斗
２６  計数器
２７  殺虫薬剤
【図１】
0004162770.tif 000003
【図２】
0004162770.tif 000004
【図３】
0004162770.tif 000005
【図４】
0004162770.tif 000006